(57)【要約】      （修正有）【課題】機器を大型化することなく、一つの操作部材でクリック有無を切り替える機構において、クリック有り時の段階的なパラメータ調整可能な状態から、クリック無しへと切り替えた際に、誤動作を防止する撮像装置を提供する。【解決手段】回転操作部材と、回転操作部材と一体に回動するクリックプレートと、回転操作部材の回転時に回転負荷が大きく変動するクリック感を与えるクリック機構と、クリック感の有無を切り替え可能な切替機構と、クリック感の有無の切替えを検知する切替検知手段と、回転操作部材の回転方向及び量を検知する検出手段と、検出手段からの検知信号に応じて、回転操作部材に割り当てられた機能の変更要素を制御する制御部を有し、切替検知手段がクリック感が無い状態からクリック感が有る状態への切り替えを検知し、回転操作部材の停止位置が所定の位相以外であった場合、所定の位相に移動するまでの間、回転操作部材の検出を行わない。【選択図】図１０
2020101724.tif 000002
【特許請求の範囲】
【請求項１】
回転操作部材と、
前記回転操作部材と一体に回動するクリックプレートと、
前記回転操作部材の回転時に回転負荷が大きく変動するクリック感を与えるクリック機構と、
クリック感の有無を切り替え可能な切替機構と、
クリック感の有無の切替えを検知する切替検知手段と、
前記回転操作部材の回転方向及び量を検知する回転検出手段と、
前記回転検出手段からの検知信号に応じて、前記回転操作部材に割り当てられた機能における変更要素を制御する制御部を有し、
前記切替検知手段がクリック感が無い状態から、クリック感が有る状態への切り替えを検知し、前記回転操作部材の回転停止位置が所定の位相以外であった場合、所定の位相に移動するまでの間、前記回転操作部材の回転操作量検出は行わない制御をすることを特徴とする撮像装置。
【請求項２】
前記クリックプレートのクリックは全周等間隔であることを特徴とする請求項１に記載の撮像装置。
【発明の詳細な説明】
【技術分野】
【０００１】
本発明は、デジタルカメラやデジタルビデオカメラ等の電子機器に関し、特に回転操作可能な操作部材を有する電子機器に関する。
【背景技術】
【０００２】
デジタルカメラ等の電子機器では様々な機能が搭載されている。例えばデジタルカメラでは撮影レンズのフォーカスやズーム倍率の変更、絞り優先ないしシャッター速度優先の自動露光モードなどの、撮影モードといった機能を有している。そして、それぞれの機能を選択したり、各機能に含まれる様々な設定値を変更するための操作部材を有している。携帯型電子機器の場合、大型化を防ぐために、複数の機能を１つの操作部材で変更可能にしたものがある。例えば、デジタルカメラでは撮影レンズのズーミングやフォーカスの調整のように連続的な値で設定される機能と、絞り値やシャッター速度や撮影感度などの撮影パラメータのように離散的な値で設定される機能を１つの操作部材に割り当てると、本来２つ必要であった操作部材を１つに減らすことが可能となる。
【０００３】
そのような操作部材として、特許文献１のように機器本体前面部の鏡筒周りに回転可能な操作部材を設け、回転規制の有る規制状態と、回転規制のない非規制状態の二つの状態を切替手段により切り替え可能としたものがある。
【先行技術文献】
【特許文献】
【０００４】
【特許文献１】特開２０１４−１９４５４８号公報
【発明の概要】
【発明が解決しようとする課題】
【０００５】
しかしながら、特許文献１の構成は、操作部材が回転規制のある状態では操作部材の停止位置が離散的であるのに対し、操作部材が回転規制のない状態では操作部材の停止位置が任意の位置で停止可能である。そのため操作部材が回転規制の無い状態から、回転規制の有る状態へ切り替えられた際、操作部材が本来停止するべき位置にない恐れがあり、本来の停止位置まで回転する過程で、誤動作してしまう可能性がある。
【０００６】
なお、上記操作部材の回転規制のある状態とは、操作部材の回転操作時に操作抵抗が定期的に変化する、いわゆるクリック感が生じる状態をさしている。また、回転規制のない状態とは、操作部材の回転操作時に操作抵抗がほぼ一定の、スムーズでクリック感のない状態をさしている。以降、クリック感が生じる状態を、クリックＯＮ状態、クリック感が生じない状態をクリックＯＦＦ状態と記すこととする。
【０００７】
本発明の目的は、操作部材の操作時のクリック感の有無を切り替え可能なものにおいて、クリック感無し時の状態から、クリック感有り時の状態へと切り替えた際の誤動作を防止することにある。
【課題を解決するための手段】
【０００８】
上記の目的を達成するために、本発明に係る撮像装置は、
回転操作部材と、前記回転操作部材と一体に回動するクリックプレートと、前記回転操作部材の回転時に回転負荷が大きく変動するクリック感を与えるクリック機構と、クリック感の有無を切り替え可能な切替機構と、クリック感の有無の切替えを検知する切替検知手段と、前記回転操作部材の回転方向及び量を検知する回転検出手段と、前記回転検出手段からの検知信号に応じて、前記回転操作部材に割り当てられた機能における変更要素を制御する制御部を有し、前記切替検知手段がクリック感が無い状態から、クリック感が有る状態への切り替えを検知し、前記回転操作部材の回転停止位置が所定の位相以外であった場合、所定の位相に移動するまでの間、前記回転操作部材の回転操作量検出は行わない制御をすることを特徴とする。
【発明の効果】
【０００９】
本発明によれば、用途に応じて操作リングのクリック感の有無を切り替える機構において、操作リングをクリック感無しからクリック感有りの状態へ切り替えた際の誤動作を防止した撮像装置の提供を実現できる。
【図面の簡単な説明】
【００１０】
【図１】一実施例におけるデジタルカメラ正面斜視図
【図２】一実施例における背面図
【図３】一実施例における分解斜視図
【図４】一実施例における分解斜視図
【図５】（ａ）、（ｂ）は一実施例におけるクリック感発生機構部断面図
【図６】一実施例における部分背面図
【図７】一実施例における部分背面図
【図８】一実施例における回転検出信号図
【図９】一実施例におけるシステム制御ブロック図
【図１０】一実施例におけるフローチャート図
【発明を実施するための形態】
【００１１】
以下、本発明を実施するための形態について、図面を参照しながら説明する。
【００１２】
［第１の実施の形態］
本発明の実施形態の一例を説明する。
【００１３】
図１は本発明の電子機器の実施形態の一例であるデジタルカメラ１を正面側から見た斜視図である。
【００１４】
図１に示すように、本実施形態のデジタルカメラ１は正面側に、被写体像を形成し、それを変倍可能なズームレンズ群を備えたズーム式の鏡筒ユニット３と、操作リング２０１が設けられている。操作リング２０１は、回転操作することにより、例えば絞り優先ないしシャッター速度優先の自動露光モードなどの撮影モードといった機能、及び各機能に含まれる様な設定値を変更することが可能となっている。操作リング２０１は操作感として、クリックＯＮの状態と、クリックＯＦＦの状態がある。そして、上記操作リング２０１の状態を切り替えるための切替操作部材２０５が、操作リング２０１の近傍に設けられている。なお、操作リング２０１、切替操作部材２０５はデジタルカメラ１の前面を覆う前面カバーユニット２に配置されている。
【００１５】
デジタルカメラ１の上面部には、デジタルカメラ１を起動するための電源ボタン１０１、操作することで撮影動作を開始するレリーズボタン１０２、操作することで鏡筒ユニットのズーム倍率を変更するズームレバー１０３が設けられる。さらに絞り値優先自動露出モード、シャッター速度優先自動露出モード、絞り値やシャッター速度をユーザーが設定するマニュアル露出モードといった撮影モードを切り替え可能なモードダイヤル１０４が設けられている。そして、上述のモードダイヤル下部には自動露出に対する露出補正量を切り替え可能な露出補正ダイヤル１０５が備えられている。また、デジタルカメラ１上面には発光部がポップアップ可能なストロボユニット１０６を備えている。
【００１６】
次に、図２、図３を用いて、図１の前面カバーユニット２の構成について説明する。
【００１７】
図２は操作リング２０１をデジタルカメラ１の内部から見た図であり、図３は操作リング２０１の内部構造を示す分解図である。
【００１８】
図２において、２０２はデジタルカメラ１の外装カバーであり、２０４はさまざまな部品を保持し前面カバー２０２に固定されているベース部材である。また、２０６は操作リング２０１を回転可能に固定する環状部材であり、２１３ａは操作リング２０１のクリックＯＮ状態とクリックＯＦＦ状態の切替えを検出する手段である検出用スイッチである。前面カバーユニット２は、操作リング２０１、前面カバー２０２、ベース部材２０４、環状部材２０６、検出用スイッチ２１３ａ、及び後述するクリック発生機構、クリック切替機構、回転検出手段を備える。
【００１９】
また、図３において、ベース部材２０４は、前面カバー２０２に両面テープや接着材等により固定されており、切替操作部材２０５を回動可能に挟持するように、操作リング保持部材２０３がベース部材２０４にビスにて固定されている。操作リング２０１は前面カバー２０２、ベース部材２０４、及び操作リング保持部材２０３を間に挟んだ状態で環状部材２０６と、環状部材２０６に複数設けた係合腕部２０６ｃが操作リング２０１に複数設けられた係合爪部２０１ａに係合することにより抜け止めがなされる。かかる係合によって、操作リング２０１は環状部材２０６と一体に回転可能に前面カバー２０２に固定されている。環状部材２０６には、最外周に所定の形状で切り欠いた開口部２０６ａ、及び切り欠きのない部分である非開口部２０６ｂが周方向に等間隔で複数形成されている。開口部２０６ａ、および非開口部２０６ｂは、後述するクリック感の発生と、操作リング２０１の回転方向と回転量の検出に利用される。
【００２０】
クリック発生機構は、上記操作リング２０１のクリック感を発生させる役割を持ち、金属製の球である鋼球２０７、鋼球２０７を付勢するための付勢ばね２０８、及びクリック感を発生させるクリック部材２０９で構成されている。付勢ばね２０８の弾性力を、鋼球２０７、及びクリック部材２０９を介して、それぞれ切替操作部材２０５と環状部材２０６に作用してクリック感を発生させている。また、付勢ばね２０８を、鋼球２０７、及びクリック部材２０９共に作用するように配置することで、切替操作部材２０５と環状部材２０６のクリック感を一つの弾性部材、本実施例における付勢ばね２０８により発生させることが可能となっている。そのため、本体内のスペースを有効活用でき、本体の小型化を実現している。なお、クリック感の発生メカニズム詳細については後述する。
【００２１】
クリック切替機構は、上記操作リング２０１のクリック感の有無を切り替える役割を持ち、スライドされることによってクリックＯＮ状態とクリックＯＦＦ状態を切り替える切替プレート２１０と、切替プレート２１０を保持固定する切替操作部材２０５で構成されている。切替操作部材２０５には，クリックＯＮ状態とクリックＯＦＦ状態で位置を保持するために設けられた後述する２つの係合溝２０５ｂを有し，係合溝２０５ｂに鋼球２０７が付勢ばね２０８により付勢されることで当接するので、それぞれのポジションで止まることができるようになっている。
【００２２】
また、クリックＯＮ状態の時は、付勢ばね２０８の弾性力によってクリック部材２０９が、後述する切替プレート２１０に設けられた後述する第１の貫通穴２１０ｂを貫通して、環状部材２０６の開口部２０６ａが設けられた部分に付勢されている。また、クリックＯＦＦ状態の時は、クリック部材２０９は切替プレート２１０により、環状部材２０６への付勢が阻止されるので、付勢ばね２０８の弾性力による規制なく回動可能となっている。なお、クリック感の切替メカニズムの詳細については後述する。
【００２３】
回転検出手段は、上記操作リング２０１の回転量を検知する役割を持ち、フレキシブルプリント基板である検出用フレキ基板２１１に実装された第１、第２のフォトインタラプタであるＰＩ１、ＰＩ２、及び前記ＰＩ１，ＰＩ２を保持固定する保持部材２１２で構成されている。フォトインタラプタは発光部と受光部を有し、受光部での受光量を電気信号の大小に変換して出力するものであり、前記受光部を遮光部材で遮光することにより受光部は遮光量に応じた大きさの信号を出力するようになっている。ＰＩ１，ＰＩ２は環状部材２０６の回転位置を検出可能となるように配置され、保持部材２１２と、ベース部材２０４に挟み込まれビスにより固定される。検出用フレキ基板２１１は不図示の信号処理基板へと接続され、ＰＩ１、ＰＩ２が検出した信号を信号処理基板へと伝達する。そして、信号処理基板に実装された後述するシステム制御部により、検出された信号に基づいて、操作リング２０１の回転方向や回転移動量等が計算される。
【００２４】
クリック検出手段は、上記操作リング２０１の状態がクリックＯＮ状態か、クリックＯＦＦ状態かを検知する役割を持ち、主に検出用スイッチ２１３ａで構成されている。検出用スイッチ２１３ａはクリック検出用フレキ基板２１３に実装され、環状部材２０６を接地するためのグランド板金２１４と共にベース部材２０４にビスにて固定されている。クリック検出用フレキ基板２１３は不図示の信号処理基板へと接続され、検出用スイッチ２１３ａの状態を示す検出信号を、信号処理基板へと伝達する。そして、信号処理基板に実装された後述のシステム制御部により、操作リング２０１がクリックＯＮ状態か、クリックＯＦＦ状態か判定される。つまり、クリック切替機構により切り替えられた操作リング２０１の状態が、クリックＯＮ状態又はクリックＯＦＦ状態かを検出する。
【００２５】
次に、各構成の詳細について説明する。図４、図５，及び図６を用いてクリック発生機構及びクリック切替機構について説明する。
【００２６】
図４はベース部材２０４に、鋼球２０７、付勢ばね２０８、クリック部材２０９、及び切替プレート２１０を組立てる直前の分解斜視図である。
【００２７】
図４において、２０４ａはベース部材２０４に設けられた貫通穴である。鋼球２０７、付勢ばね２０８、クリック部材２０９が貫通穴２０４ａに移動可能に挿通され、クリック部材２０９側は切替プレート２１０によって固定されている。また、クリック部材２０９の切替プレート側の先端は球形状となっている。
【００２８】
図６（ａ）はクリックＯＦＦ状態の切替プレート２１０の位置での背面図であり、説明のため環状部材２０６を不図示にしている。図６（ｂ）はクリックＯＮ状態の切替プレート２１０の位置での背面図であり、図６（ａ）と同様に説明のため環状部材２０６を不図示にしている。
【００２９】
図６（ａ）、（ｂ）において、切替プレート２１０には、第１の貫通穴２１０ｂ、第２の貫通穴２１０ｃが設けられており、それぞれの貫通穴がスリット２１０ｄにより繋がっている。そして、第１の貫通穴２１０ｂ、第２の貫通穴２１０ｃは、クリック部材２０９の先端の球形状より小さくなっているため、切替プレート２１０が切替操作部材２０５へ固定された状態にてクリック部材２０９を保持可能となっている。また、詳細については後述するが、第１の貫通穴２１０ｂは、第２の貫通穴２１０ｃより小さくなっている。
【００３０】
次に、操作リング２０１のクリックＯＮ状態、クリックＯＦＦ状態について説明する。先ず、操作リング２０１がクリックＯＦＦ状態にある時について説明する。
【００３１】
図５（ａ）は図２におけるＡ−Ａ断面であり、クリックＯＦＦ状態の切替プレート２１０の位置でのクリック発生機構の断面を示している。図５（ａ）、（ｂ）において、切替操作部材２０５には、係合溝２０５ｂが２か所設けられており、それぞれの間が係合溝２０５ｂよりも浅い摺動溝２０５ｃで繋がっている。
【００３２】
図５（ａ）において、切替操作部材２０５が、クリックＯＦＦ状態の位置であり、クリック部材２０９が、図６（ａ）の切替プレート２１０の第１の貫通穴２１０ｂに、付勢ばね２０８にて付勢され、同時に、鋼球２０７が切替操作部材２０５の係合溝２０５ｂへ付勢されている。鋼球２０７が付勢ばね２０８によって係合溝２０５ｂに付勢されているため、係合溝２０５ｂに嵌っている状態では切替操作部材２０５が安易には回動しないように保持された状態となっている。
【００３３】
また、切替プレート２１０の第１の貫通穴２１０ｂは、クリック部材２０９の先端の球形状より十分に小さく、クリック部材２０９の先端が環状部材２０６に当接しないように保持している。そのため、環状部材２０６には回転による負荷変動は生じないので、それと一体化されている操作リング２０１の回転操作も、スムーズに操作することが可能となっている。
【００３４】
次に、操作リング２０１がクリックＯＮ状態にある時について説明する。
【００３５】
図５（ｂ）は図５（ａ）と同様にクリック発生機構の断面図であり、クリックＯＮ状態の切替プレート２１０の位置での断面を示している。
【００３６】
図５（ａ）のクリックＯＦＦ状態から、切替操作部材２０５を本実施例のデジタルカメラ１正面から見て反時計周りにスライド操作すると、鋼球２０７が係合溝２０５ｂより浅い摺動溝２０５ｃへ乗り上げる。さらに切替操作部材２０５を回動させると、鋼球２０７が摺動溝２０５ｃ上を転がり、図５（ｂ）に示したように嵌合溝２０５ｂへ付勢ばね２０８により付勢され、切替操作部材２０５が保持される。同時に、クリック部材２０９が切替プレート２１０の第１の貫通穴２１０ｂから、スリット２１０ｄに沿ってスライドし、第２の貫通穴２１０ｃへと移動する。
【００３７】
そして、クリック部材２０９は切替プレート２１０の第２の貫通穴２１０ｃを通り、環状部材２０６を付勢したた状態となる。第２の貫通穴２１０ｃは、クリック部材２０９の先端部が一定量飛び出す大きさとなっており、その飛び出し量は環状部材２０６、及びその開口部２０６ａに十分に付勢される量に設定されている。この状態で、操作リング２０１を回転操作させると、それと一体化されている環状部材２０６も回動し、クリック部材２０９が非開口部２０６ｂへの当接した状態から、開口部２０６ａへの侵入時に、付勢ばね２０８が急激に伸長して負荷が小さくなる。また、クリック部材２０９が開口部２０６ａへ当接した状態から、非開口部２０６ｂへ当接した状態へ移行する時には、付勢ばね２０８を圧縮するので大きな負荷が発生する。そのためユーザーが操作リング２０１を回転させると大きな負荷変動、即ちクリック感を感じることになり、段階的に操作することが可能となっている。
【００３８】
次に、切替操作部材２０５のクリック検出手段の検出動作について図６を用いて説明する。
【００３９】
図６（ａ）、（ｂ）において、２０５ｄは切替操作部材２０５に設けられた突起形状である。また、２１３ｂは検出用スイッチ２１３ａに設けられた検出レバーで、回動されると検出用スイッチ２１３ａから出力される検出信号が変化するようになっている。
【００４０】
図６（ａ）のクリックＯＦＦの状態の時、突起形状２０５ｄは検出用フレキ基板２１３に実装された検出用スイッチ２１３ａと離間しており、検出用スイッチ２１３ａの検出信号は初期状態である。この状態から切替操作部材２０５を回動させて図６（ｂ）の状態にすると、突起形状２０５ｄも回動し、検出用スイッチ２１３ａの検出用レバー２１３ｂを回動させ、検出信号を初期状態から変化させ、そのことがクリック検出用フレキ基板２１３を通り不図示の信号処理基板へと伝えられる。検出信号が初期状態から変化した場合、後述のシステム制御部により、クリックＯＮと判断される。なお、以降、前記初期状態をクリックＯＦＦと記す。
【００４１】
本発明では、クリックＯＮ時に検出される構成としているが、クリックＯＦＦ時に検出される構成としても良い。
【００４２】
次に、操作リング２０１の回転検出手段の検出動作について説明する。
【００４３】
図７は図２のＢ部を拡大した図であり、説明のため保持部材２１２を不図示としてある。図中の矢印Ｂは環状部材２０６、及び操作リング２０１の回転方向を示しており、紙面に対して時計周りをＣ、反時計周りをＣＣと示している。
【００４４】
図７において、ベース部材２０４にＰＩ１、ＰＩ２が環状部材２０６の回転を検出可能となるように環状部材２０６の開口部２０６ａないし非開口部２０６ｂに対して、それぞれ異なる位相で位置決め配置されている。そして、保持部材２１２がＰＩ１、ＰＩ２を挟み込んで、ベース部材２０４へビス固定されている。
【００４５】
図８（ａ）はＰＩ１，ＰＩ２の発光部と受光部の間を、開口部２０６ａと非開口部２０６ｂが通過することによりＰＩ１，ＰＩ２が出力した信号を示している。開口部２０６ａを検知した時、つまりＰＩ１，ＰＩ２の受光部が遮光されていない時はＰＩ１、ＰＩ２の出力は高くなる、この状態をＨ信号と表現している。
【００４６】
そして、開口部２０６ａが通過して非開口部２０６ｂを検知した時、つまりＰＩ１，ＰＩ２の受光部が遮光されるのでＰＩ１、ＰＩ２の出力が小さい、この状態をＬ信号と表現している。ＰＩ１，ＰＩ２は、操作リング２０１がクリックＯＮ状態で、クリック部材２０９が開口部２０６ａに付勢ばね２０８により付勢され、環状部材２０６が保持されている状態をクリックポジションと呼ぶ。クリックポジションでの、ＰＩ１，ＰＩ２それぞれの信号がＬ，Ｌとなるように配置している。そして、図８（ａ）はＰＩ１，ＰＩ２のＨ信号とＬ信号がそれぞれ半位相ずれた状態で出力されることを示している。
【００４７】
図８（ｂ）は、操作リング２０１を回転させた際の、ＰＩ１，ＰＩ２が、環状部材２０６の開口部２０６ａと非開口部２０６ｂを検知した信号と、回転方向の判定を示した表である。例えば、図８（ａ）において、クリックポジションから、操作リング２０１を矢印ＢのＣの方向へ回転させた場合、ＰＩ１、ＰＩ２の出力波形は図中左に移動し、ＰＩ１の検出信号が先にＨとなる。すると、図８（ｂ）の表に示すようにＣ方向へ回転したと判定される。矢印ＢのＣＣ方向へ回転させた場合は、ＰＩ２の検出信号が先にＨとなり、図８（ｂ）の表に示すようにＣＣ方向へ回転したと判定される。
【００４８】
図８（ａ）に戻り、クリックＯＮ時の回転量検出は、クリックポジションから次のクリックポジションへの回転、即ちＰＩ１、ＰＩ２の信号が、共にＬになったことを検知する毎に１段階分回転されたと検出する。また、クリックＯＦＦ時の回転量検出は、検出信号が切り替わる毎に１段階分回転されたと検出する。そのため、クリックＯＮ時と比較して、よりきめ細かな回転検出が可能となっている。
【００４９】
次に図９、及び図１０にて、回転検知の制御について説明する。
【００５０】
図９はデジタルカメラ１の本実施例における主要な構成を示す制御ブロック図である。
【００５１】
図９において、電源ボタン１０１は押下されることでデジタルカメラ１を起動ないし非起動状態にする。システム制御部１１５はデジタルカメラ１のシステム全体を制御するものである。撮像素子１１３は、光学像を光電変換してアナログ映像信号を生成するＣＣＤやＣＭＯＳイメ−ジセンサ等である。Ａ／Ｄ変換部１２０は前記撮像素子１１３で生成されたアナログ映像信号をデジタル映像信号に変換する。
【００５２】
画像処理部１２１はＡ／Ｄ変換部１２０で得られたデジタル映像信号を所定の画像データに変換する記録媒体１１９は画像データを保存し、デジタルカメラ１に対して着脱可能となっている。レリーズボタン１０２は押下されることにより、撮影動作を行うための操作ボタンである。なお、撮影動作では、撮像素子１１３により光電変換されて、生成したアナログ映像信号は、Ａ／Ｄ変換部１２０でデジタル映像信号に変換され、画像処理部１２１で所定の画像データに変換して最終的には記録媒体１１９に保存される。なお、図１〜図８で説明したもので同一機能を有するものは同一番号、同一名称で示し、説明は省略する。
【００５３】
図１０は、図９で示したデジタルカメラ１の回転検知の制御に関する動作フローを示すフローチャート図である。
【００５４】
図１０において、デジタルカメラ１の電源ボタン１０１を押下し、デジタルカメラ１が起動し、電源ボタン１０１やレリーズボタン１０２、操作リング２０１といった各操作部が操作されたことを検知する撮影待機状態となり、ステップＳ９にて切替操作部材２０５と操作リング２０１以外の操作部がユーザーにより操作された場合、ステップＳ１７に進む。そして、ステップＳ１７ではそれぞれの機能の処理を実行する。
【００５５】
ステップＳ９にて切替操作部材２０５と操作リング２０１以外の操作部が操作されなった場合、ステップＳ１０に進み操作リング２０１が操作されたか判定する。ステップＳ１０でＰＩ１，ＰＩ２の状態が変化して操作リング２０１が操作されたと判定されるとステップＳ１１に進む。ステップＳ１０で、ＰＩ１，ＰＩ２の状態が所定時間変化しない場合はステップＳ１４に進む。ステップＳ１１で検出用スイッチ２１３ａの状態が変化した状態、即ちクリックＯＮであればステップＳ１２へ進み、クリックＯＮ時の回転量検出処理を実行する。
【００５６】
ステップＳ１１にて、検知用スイッチ２１３ａの状態が初期状態、即ちクリックＯＦＦであった場合、ステップＳ１３に進み、クリックＯＦＦ時の回転量検出処理を実行する。そして、ステップＳ１２，ないしステップＳ１３の処理が終了するとステップＳ９に戻る。
【００５７】
次に、ステップＳ１４にて、切替操作部材２０５がユーザーによりスライド操作されて、検出用スイッチ２１３ａの状態が変化したか確認する。ステップＳ１４にて検出用スイッチ２１３ａの状態に変化ないか、又はクリックＯＮからクリックＯＦＦに変化した場合、ステップＳ９に戻る。
【００５８】
ステップＳ１４にて検出用スイッチ２１３ａの状態に変化があり、クリックがＯＦＦからＯＮへと切替えられた場合、ステップＳ１５に進み、環状部材２０６の開口部２０６ａと鋼球２０７との位置がクリックポジション、即ちＰＩ１、ＰＩ２の信号が共にＬ、Ｌであるかを確認する。ステップＳ１５にてクリックポジションである場合、ステップＳ９に戻る。
【００５９】
ステップＳ１５にてクリックポジションではないと検知した場合、ステップＳ１６に進み、操作リング２０１が回転操作されて、ＰＩ１、ＰＩ２の信号が共にＬ、Ｌになるまで回転量検出を実施しない。そして、ＰＩ１，ＰＩ２の検知した信号が共にＬ，Ｌの組合せであると判断されると、ステップＳ９に戻る。
【００６０】
なおステップＳ１２のクリックＯＮ時の回転量検出の処理では前述したように、操作リング２０１がクリックポジションから次のクリックポジションへの回転を１段階分の回転動作としている。また、ステップＳ１３のクリックＯＦＦ時の回転量検出の処理では前述したように、ＰＩ１，ＰＩ２の検出信号が切り替わる毎に１段階分の回転動作としている。
【００６１】
切替操作部材２０５をユーザーが操作して、検出用スイッチ２１３ａがクリックＯＦＦ状態からクリックＯＮ状態へと変化したことを検知した際に、クリック部材２０９が環状部材２０６の開口部２０６ａと非開口部２０６ｂの境界に乗り上げている状態にある可能性がある。その時、クリック部材２０９の先端は球形状であるため、環状部材２０６は開口部２０６ａ中心がクリック部材２０９の中心と合うように、つまりクリックポジションへとユーザーが操作していなくても回転する。しかし、上記制御により、第１、第２のフォトインタラプタＰＩ１，ＰＩ２がクリックポジションを検知するまで回転量検出を実施していないため、ユーザーの意図しない方向へ環状部材２０６が回転しても検出されない。即ち、切替操作部材２０５を操作した際に、誤動作を防止することが可能となる。
【００６２】
以上説明したように、本実施形態では、本体を大きくすることなく、操作性の良いクリックのＯＮ／ＯＦＦを切替え可能で誤動作しない操作リングを実現することができる。
【００６３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６４】
１  カメラ本体、２  前面カバーユニット、３  鏡筒ユニット、
２０１  操作リング、２０１ａ  係合爪部、２０２  前面カバー、
２０３  操作リング保持部材、２０４  ベース部材、２０４ａ  貫通穴、
２０５  切替操作部材、２０５ａ  爪部、２０５ｂ  係合溝、
２０５ｃ  摺動溝、２０５ｄ  突起形状、２０６  環状部材、
２０６ａ  開口部、２０６ｂ  非開口部、２０６ｃ  係合腕部、
２０７  鋼球、２０８  付勢ばね、２０９  クリック部材、
２１０  切替プレート、２１０ａ  係止部、２１０ｂ  第１の貫通穴、
２１０ｃ  第２の貫通穴、２１０ｄ  スリット、２１１  検出用フレキ基板、
２１２  保持部材、２１３  クリック検出用フレキ基板、
２１３ａ  検出用スイッチ、２１３ｂ  検出用レバー、
ＰＩ１  第１のフォトインタラプタ、ＰＩ２  第２のフォトインタラプタ、
矢印Ｂ  操作リング回転方向
【図１】
2020101724.tif 000003
【図２】
2020101724.tif 000004
【図３】
2020101724.tif 000005
【図４】
2020101724.tif 000006
【図５】
2020101724.tif 000007
【図６】
2020101724.tif 000008
【図７】
2020101724.tif 000009
【図８】
2020101724.tif 000010
【図９】
2020101724.tif 000011
【図１０】
2020101724.tif 000012